(57)【要約】【課題】  飲料メーカーで容器を洗浄する装置から交換が必要な洗浄ホルダーを取り外す必要があるが、洗浄ホルダーを固定している洗浄ホルダーストッパーを洗浄ホルダーの内側から利かなくする事が非常に困難で洗浄ホルダーを外し難かった。【解決手段】  上記の課題を解決するために、洗浄ホルダー取付け部材を洗浄装置に取り付けたまま洗浄ホルダー取外し治具のハンドルを引抜き金具が押出される方向に回して、引抜き金具位置決めネジが差込み位置に有る事を確認し、洗浄ホルダー取外し治具外筒先端の切り欠きを洗浄ホルダー角形鍔が入るように合わせて、抜出し金具が洗浄ホルダーの前に出るまで差し込んでから洗浄ホルダー取外し治具のハンドルを洗浄ホルダーを引抜く方向に回して、引抜き金具位置決めネジが引抜き位置に有る事を確認し、更にハンドルを洗浄ホルダー抜出し方向に回すと洗浄ホルダーを簡単に引き抜く事が出来る。【選択図】図１
2019093376.tif 000002
【特許請求の範囲】
【請求項１】
洗浄ホルダー先端の内側にある突起が当たらない溝と洗浄ホルダーの内側を通過出来る鍔を持つ引抜き金具を洗浄ホルダーに差し込んで洗浄ホルダーの前で引抜き金具を回転させて鍔の部分が洗浄ホルダー先端の突起に重なるようにして洗浄ホルダーを引抜く事を特徴とする洗浄ホルダー取外し治具。
【請求項２】
引抜き金具の溝と洗浄ホルダーの先端内側の突起と洗浄ホルダー角形鍔が合う位置に引抜き金具位置決めネジが当たるストッパーを有する切抜きを洗浄ホルダー取外し治具外筒に設け、更に同位置で洗浄ホルダー取外し治具外筒先端に洗浄ホルダー角形鍔が入る切欠きを設けた事を特徴とする洗浄ホルダー取外し治具。
【請求項３】
引抜き金具の鍔と洗浄ホルダー先端の突起が重なり合う位置に引抜き金具位置決めネジが当たるストッパーを有する切抜きを洗浄ホルダー取外し治具外筒に設けた事を特徴とする洗浄ホルダー取外し外し治具。
【請求項４】
請求項目２、３の切抜きは引抜き金具位置決めネジが差込み方向にも引抜き方向にも動かせる空間が有る事を特徴とする洗浄ホルダー取外し治具。
【請求項５】
洗浄ホルダー引抜きネジ受けナツト取付けプレートにナットが入る角穴を設け、ナットの空回りを防ぎ、ナットのネジ部が磨耗した時にナットを交換出来るようにした事を特徴とする洗浄ホルダー取外し治具。
【請求項６】
引抜きネジ回転摩擦抵抗調節前部ダブルナットと引抜き金具の間に摩擦低減平ワッシャーを設置する事を特徴とする洗浄ホルダー取外し治具。
【請求項７】
引抜きネジ回転摩擦抵抗調節後部ダブルナットと引抜き金具連結管の間に設置した二枚の引抜きネジ後部平ワッシャーの間に引抜きネジ回転摩擦抵抗予圧ウエーブワッシャーを設ける事を特徴とする洗浄ホルダー取外し治具。
【請求項８】
引抜き金具と引抜き金具位置決めネジを引抜き金具連結管で接続した事を特徴とする洗浄ホルダー引抜き治具。
【発明の詳細な説明】
【技術分野】
【０００１】  この発明は取外したい洗浄ホルダーを洗浄ホルダー取付部材から取外す技術である。
【背景技術】
【０００２】  飲料メーカーで容器を洗浄する装置から交換が必要な洗浄ホルダーを取り外す必要があるが、洗浄ホルダーを固定している洗浄ホルダーストッパーを洗浄ホルダーの内側から利かなくする事が非常に困難で洗浄ホルダーを外し難かった。
【発明の開示】
【発明が解決しようとする課題】
【０００３】  コンベアーに装着された洗浄ホルダー取付部材から洗浄ホルダーを簡単に取り外す事を課題とする。
【課題を解決するための手段】
【０００４】  上記の課題を解決するために、洗浄ホルダー取付け部材を洗浄装置に取り付けたまま洗浄ホルダー取外し治具のハンドルを引抜き金具が押出される方向に回して、引抜き金具位置決めネジが差込み位置に有る事を確認し、洗浄ホルダー取外し治具外筒先端の切り欠きを洗浄ホルダー角形鍔が入るように合わせて、抜出し金具が洗浄ホルダーの前に出るまで差し込んでから洗浄ホルダー取外し治具のハンドルを洗浄ホルダーを引抜く方向に回して、引抜き金具位置決めネジが引抜き位置に有る事を確認し、更にハンドルを洗浄ホルダー抜出し方向に回して洗浄ホルダーを引抜く。
【実施例】
【０００５】  以下、本発明に係わる洗浄ホルダー取外し治具の実施例について説明する。
図１〜５は、本発明に係わる洗浄ホルダー取外し治具を示している。本発明に係わる洗浄ホルダー取外し治具は、引抜き金具１と引抜き金具連結管２と引抜きネジ３と引抜きネジ受けナツト４と引抜き金具位置決めネジ５と引抜きネジ回転摩擦抵抗調節前部ダブルナット６と引抜きネジ前部平ワッシャー７と引抜きネジ後部平ワッシャー８と引抜きネジ回転摩擦抵抗予圧ウエーブワッシャー９と引抜きネジ後部ダブルナット１０と引抜きネジ回転ハンドルアーム１１と引抜きネジ回転ハンドルアーム握り１２と引抜きネジ回転アーム固定ナット１３と洗浄ホルダー取外し治具外筒１４と引抜きネジ受けナット取付けプレート１５と引抜きネジ受けナット取付けプレート固定ネジ１６と洗浄ホルダー取外し治具外筒固定握り１７と引抜き金具溝１８と洗浄ホルダー先端突起１９と洗浄ホルダー２０と洗浄ホルダー取付け部材２１と洗浄ホルダーストッパー２２と洗浄ホルダー角形鍔２３と洗浄ホルダー取外し治具外筒切欠き２４と引抜き金具位置決め外筒切欠き２５と引抜き金具位置決めネジ差込み位置ストッパー２６と引抜き金具位置決めネジ引抜き位置ストッパー２７と引抜き金具位置決めネジ引抜き及び差込み空間２８で構成されている。
【図面の簡単な説明】
【０００６】
【図１】  本発明の、一実施形態示す断面図及び、平面図、立面図である。
【図２】  本発明の、一実施形態示す断面図及び、平面図、立面図である。
【図３】  本発明の、一実施形態示す断面図及び、平面図、立面図である。
【図４】  本発明の、一実施形態示す断面図及び、平面図、立面図である。
【図５】  本発明の、一実施形態示す断面図及び、平面図、立面図である。
【符号の説明】  １  引抜き金具
２  引抜き金具連結管
３  引抜きネジ
４  引抜きネジ受けナット
５  引抜き金具位置決めネジ
６  引抜きネジ回転摩擦抵抗調節前部ダブルナット
７  引抜きネジ前部平ワッシャー
８  引抜きネジ後部平ワッシャー
９  引抜きネジ回転摩擦抵抗予圧ウエーブワッシャー
１０  引抜きネジ回転摩擦抵抗調節後部ダブルナット
１１  引抜きネジ回転ハンドルアーム
１２  引抜きネジ回転ハンドルアーム握り
１３  引抜きネジ回転アーム固定ナット
１４  洗浄ホルダー取外し治具外筒
１５  引抜きネジ受けナット取付けプレート
１６  引抜きネジ受けナット取付けプレート固定ネジ
１７  洗浄ホルダー取外し治具外筒固定握り
１８  引抜き金具溝
１９  洗浄ホルダー先端突起
２０  洗浄ホルダー
２１  洗浄ホルダー取付け部材
２２  洗浄ホルダーストッパー
２３  洗浄ホルダー角形鍔
２４  洗浄ホルダー取外し治具外筒切欠き
２５  引抜き金具位置決め外筒切欠き
２６  引抜き金具位置決めネジ差込み位置ストッパー
２７  引抜き金具位置決めネジ引抜き位置ストッパー
２８  引抜き金具位置決めネジ引抜き及び差込み空間
【図１】
2019093376.tif 000003
【図２】
2019093376.tif 000004
【図３】
2019093376.tif 000005
【図４】
2019093376.tif 000006
【図５】
2019093376.tif 000007